(57)【要約】【課題】  ガラス部分に樹脂層が固着された複合レンズと該複合レンズに間隔をおいて配置される別のレンズとの間の間隔を必要最小限とすることを課題とする。【解決手段】  ガラス部分１０の光学機能面１１ａに樹脂層２０を固着して成る複合レンズＬ２１の上記樹脂層を有する側に所定の間隔をおいて別のレンズＬ２２を保持するレンズ保持構造であって、上記複合レンズのガラス部分の光学有効部１１の外周部に保持縁１２が突設され、上記樹脂層はその外周部に上記保持縁上に生じたはみ出し部分２３を有し、上記保持縁には上記はみ出し部分から外周側に離間した位置に凸縁１３が形成され、上記凸縁の光軸方向に対する突出端１３ａは、上記はみ出し部分より外側に位置するように形成されて成り、上記別のレンズの光学有効部３１の外周部に突設された保持縁３２に上記複合レンズの上記突出端が当接される。【選択図】図３
2006195053.tif 000002
【特許請求の範囲】
【請求項１】
ガラス部分の凹面を為す光学機能面に樹脂層を固着して成る複合レンズであって、
上記ガラス部分の光学有効部の外周部に保持縁が突設され、
上記樹脂層はその外周部に上記保持縁上に生じたはみ出し部分を有し、
上記保持縁には上記はみ出し部分から外周側に離間した位置に凸縁が形成され、上記凸縁の光軸方向に対する突出端は、光軸方向について上記はみ出し部分より外側に位置するように形成される
ことを特徴とする複合レンズ。
【請求項２】
上記凸縁の内径内に上記樹脂層の光学有効面の最外周部が位置している
ことを特徴とする請求項１に記載の複合レンズ。
【請求項３】
ガラス部分の光学機能面に樹脂層を固着して成る複合レンズの上記樹脂層を有する側に所定の間隔をおいて別のレンズを保持するレンズ保持構造であって、
上記複合レンズのガラス部分の光学有効部の外周部に保持縁が突設され、
上記樹脂層はその外周部に上記保持縁上に生じたはみ出し部分を有し、
上記保持縁には上記はみ出し部分から外周側に離間した位置に凸縁が形成され、上記凸縁の光軸方向に対する突出端は、光軸方向について上記はみ出し部分より外側に位置するように形成されて成り、
上記別のレンズの光学有効部の外周部に突設された保持縁に上記複合レンズの上記突出端が当接される
ことを特徴とするレンズ保持構造。
【請求項４】
上記凸縁の内径内に上記樹脂層の光学有効面の最外周部が位置している
ことを特徴とする請求項３に記載のレンズ保持構造。
【請求項５】
上記凸縁の内径内に上記別のレンズの樹脂層に対向した光学有効面の最外周部が位置される
ことを特徴とする請求項３に記載のレンズ保持構造。
【請求項６】
上記凸縁の内径内に上記別のレンズの樹脂層に対向した光学有効面の最外周部が位置される
ことを特徴とする請求項４に記載のレンズ保持構造。
【請求項７】
複数のレンズが所定の位置的関係をもってレンズ鏡筒内に配列されて成るレンズユニットであって、
少なくとも２枚のレンズが固定的間隔をおいて配置され、
上記２枚のレンズの一方のレンズはガラス部分の光学機能面に樹脂層を固着して成る複合レンズであって、
上記複合レンズのガラス部分の光学有効部の外周部に保持縁が突設され、
上記樹脂層はその外周部に上記保持縁上に生じたはみ出し部分を有し、
上記保持縁には上記はみ出し部分から外周側に離間した位置に凸縁が形成され、上記凸縁の光軸方向に対する突出端は、光軸方向について上記はみ出し部分より外側に位置するように形成されて成り、
上記別のレンズの光学有効部の外周部に突設された保持縁に上記複合レンズの上記突出端が当接される
ことを特徴とするレンズユニット。
【請求項８】
上記凸縁の内径内に上記樹脂層の光学有効面の最外周部が位置している
ことを特徴とする請求項７に記載のレンズユニット。
【請求項９】
上記凸縁の内径内に上記別のレンズの樹脂層に対向した光学有効面の最外周部が位置される
ことを特徴とする請求項７に記載のレンズユニット。
【請求項１０】
レンズユニットと、上記レンズユニットによって形成された光学像を電気信号に変換する撮像手段を備えた撮像装置であって、
上記レンズユニットは、複数のレンズが所定の位置的関係をもってレンズ鏡筒内に配列されて成り、
少なくとも２枚のレンズが固定的間隔をおいて配置され、
上記２枚のレンズの一方のレンズはガラス部分の光学機能面に樹脂層を固着して成る複合レンズであって、
上記複合レンズのガラス部分の光学有効部の外周部に保持縁が突設され、
上記樹脂層はその外周部に上記保持縁上に生じたはみ出し部分を有し、
上記保持縁には上記はみ出し部分から外周側に離間した位置に凸縁が形成され、上記凸縁の光軸方向に対する突出端は、光軸方向について上記はみ出し部分より外側に位置するように形成されて成り、
上記別のレンズの光学有効部の外周部に突設された保持縁に上記複合レンズの上記突出端が当接される
ことを特徴とする撮像装置。
【請求項１１】
上記凸縁の内径内に上記樹脂層の光学有効面の最外周部が位置している
ことを特徴とする請求項１０に記載の撮像装置。
【請求項１２】
上記凸縁の内径内に上記別のレンズの樹脂層に対向した光学有効面の最外周部が位置される
ことを特徴とする請求項１０に記載の撮像装置。
【請求項１３】
ガラス部分の光学機能面に樹脂層を固着して成る複合レンズの上記樹脂層を有する側に所定の間隔をおいて別のレンズを保持するレンズ保持構造であって、
上記複合レンズのガラス部分の光学有効部の外周部に保持縁が突設され、
上記樹脂層はその外周部に上記保持縁上に生じたはみ出し部分を有し、
上記別のレンズの光学有効部の外周部に突設されて上記複合レンズの保持縁と当接される保持縁が形成され、
上記別のレンズの保持縁に上記樹脂層のはみ出し部分を収容する収容部が形成された
ことを特徴とするレンズ保持構造。
【請求項１４】
上記収容部内に上記樹脂層の光学有効面の最外周部が位置している
ことを特徴とする請求項１３に記載のレンズ保持構造。
【請求項１５】
上記収容部内に上記別のレンズの樹脂層に対向した光学有効面の最外周部が位置される
ことを特徴とする請求項１３に記載のレンズ保持構造。
【請求項１６】
上記収容部内に上記別のレンズの樹脂層に対向した光学有効面の最外周部が位置される
ことを特徴とする請求項１４に記載のレンズ保持構造。
【請求項１７】
複数のレンズが所定の位置的関係をもってレンズ鏡筒内に配列されて成るレンズユニットであって、
少なくとも２枚のレンズが固定的間隔をおいて配置され、
上記２枚のレンズの一方のレンズはガラス部分の光学機能面に樹脂層を固着して成る複合レンズであって、
上記複合レンズのガラス部分の光学有効部の外周部に保持縁が突設され、
上記樹脂層はその外周部に上記保持縁上に生じたはみ出し部分を有し、
上記別のレンズの光学有効部の外周部に突設されて上記複合レンズの保持縁と当接される保持縁が形成され、
上記別のレンズの保持縁に上記樹脂層のはみ出し部分を収容する収容部が形成された
ことを特徴とするレンズユニット。
【請求項１８】
上記収容部内に上記樹脂層の光学有効面の最外周部が位置している
ことを特徴とする請求項１７に記載のレンズユニット。
【請求項１９】
上記収容部内に上記別のレンズの樹脂層に対向した光学有効面の最外周部が位置される
ことを特徴とする請求項１７に記載のレンズユニット。
【請求項２０】
レンズユニットと、上記レンズユニットによって形成された光学像を電気信号に変換する撮像手段を備えた撮像装置であって、
上記レンズユニットは、複数のレンズが所定の位置的関係をもってレンズ鏡筒内に配列されて成り、
少なくとも２枚のレンズが固定的間隔をおいて配置され、
上記２枚のレンズの一方のレンズはガラス部分の光学機能面に樹脂層を固着して成る複合レンズであって、
上記複合レンズのガラス部分の光学有効部の外周部に保持縁が突設され、
上記樹脂層はその外周部に上記保持縁上に生じたはみ出し部分を有し、
上記別のレンズの光学有効部の外周部に突設されて上記複合レンズの保持縁と当接される保持縁が形成され、
上記別のレンズの保持縁に上記樹脂層のはみ出し部分を収容する収容部が形成された
ことを特徴とする撮像装置。
【請求項２１】
上記収容部内に上記樹脂層の光学有効面の最外周部が位置している
ことを特徴とする請求項２０に記載の撮像装置。
【請求項２２】
上記収容部内に上記別のレンズの樹脂層に対向した光学有効面の最外周部が位置される
ことを特徴とする請求項２０に記載の撮像装置。
【発明の詳細な説明】
【技術分野】
【０００１】
本発明は新規な複合レンズ、レンズ保持構造、レンズユニット及び撮像装置に関する。詳しくは、ガラス部分に樹脂層が固着されて成る複合レンズと該複合レンズに間隔をおいて配置される別のレンズとの間の間隔を必要最小限とする技術に関する。
【背景技術】
【０００２】
ガラス部分の光学機能面に樹脂層を固着して成る、レプリカレンズもしくは複合非球面レンズと称される、複合レンズが知られている。
【０００３】
レンズの光学機能面にガラス材料では加工しにくいような形状を必要とする場合に、比較的加工しやすい形状に加工したガラス部分の表面（光学機能面）に成形性が良好である樹脂材料によって所望の表面形状を有する樹脂層を固着することが行われる。例えば、球面形状に加工したガラス部分の表面に非球面形状の表面を有する樹脂層を固着して複合非球面レンズとすることが知られている。
【０００４】
上記したような非球面レンズを使用したズームレンズとして特許文献１に記載されたものがある。特許文献１の図９に示されたズームレンズにあっては、第１レンズ群の負レンズの像面側の面がガラス球面上に樹脂層を固着させた複合非球面とされ、該複合非球面によって歪曲収差の補正を行っている（特許文献１の段落「００５８」参照）。
【０００５】
ところで、レンズ系を使用したカメラ等の光学機器にあっては小型化が求められており、光学機器の小型化の一翼をレンズ系の小型化が担っている。レンズ系の小型化には、全長の短縮と径の縮小があるが、全長の短縮のためには、隣り合うレンズ同士の間隔を狭めることが有効である。
【０００６】
しかしながら、複合レンズにあっては、樹脂層の成形の際における樹脂材料の供給量のコントロールの難しさから、どうしても材料樹脂を必要量より余分に供給せざるを得ず、そのために、樹脂層の外周部にいわゆるはみ出し部分と称される不整形の部分が生じることを避けることが出来ない。そのために、複合レンズと別のレンズとを近付けすぎると、別のレンズによって樹脂層のはみ出し部分が押圧されることになり、これによって、２つのレンズの間に正しい間隔を取ることが出来なくなり、さらに、はみ出し部分が押圧されると、該押圧による歪みが樹脂層の表面に影響をし、設計通りの性能を発揮することが出来なくなってしまう。
【０００７】
そこで、従来にあっては、図８及び図９に示すレンズ保持構造によって、複合レンズを含む２枚のレンズの間隔を極力近付けた状態で保持することが行われていた。
【０００８】
図８及び図９において、ａはレンズ保持枠であり、該レンズ保持枠ａは前方に向かって開口した前部レンズ室ｂと後方に向かって開口した後部レンズ室ｃを備え、上記２つのレンズ室の間には内方へ突出したフランジ状の凸部ｄが全周に亘って形成されている。
【０００９】
そして、上記前部レンズ室ｂ内に複合レンズｅが収容保持され、また、後部レンズ室ｃ内にガラス部分のみから成る別のレンズｆが収容保持される。複合レンズｅはガラス部分ｇの外周部にフランジ状の保持縁ｈが突設されており、また、ガラス部分ｇの別のレンズｆと対向する側の光学有効面に樹脂部分ｉが固着されている。そして、上記樹脂部分ｉの外周部にははみ出し部分ｊが生じており、該はみ出し部分ｊは上記保持縁ｈの後面の内周寄りの部分に位置している。
【００１０】
上記レンズ保持枠ａの凸部ｄの前後両面にはそれぞれレンズｅ、ｆの位置決めを為すレンズ保持面ｋ、ｌが形成されており、さらに、前側のレンズ保持面ｋの中心側端部には全周に亘って切欠部ｍが形成されている。
【００１１】
複合レンズｅは前側から前部レンズ室ｂに挿入され、保持縁ｈの後面がレンズ保持面ｋに当接して位置決めされ、また、樹脂部分ｉのはみ出し部分ｊは切欠部ｍ内に位置される。上記切欠部ｍははみ出し部分ｊを押圧しないだけの十分な大きさを有している。そして、別のレンズｆは後側から後部レンズ室ｃ内に挿入され、その外周部の前面がレンズ保持面ｌに当接して位置決めされ、これによって、２つのレンズｅ、ｆは凸部ｄによって所定の間隔をおいて対向され、この状態のまま、接着、カシメ止め等適宜の手段によってレンズ保持枠ａに保持固定される。
【００１２】
【特許文献１】特開平９−１３８３４７号公報
【発明の開示】
【発明が解決しようとする課題】
【００１３】
図８及び図９に示した従来のレンズ保持構造では、複合レンズを含む２つのレンズの間の間隔を十分に小さくすることが出来ず、レンズの小型化には不十分であった。
【００１４】
すなわち、２つのレンズｅ、ｆの間の間隔はレンズ室ｂ、ｄの間に形成された凸部ｄの大きさ、詳しくは、２つのレンズ保持面ｋとｌとの間の間隔によって規定され、レンズ保持面ｋ、ｌ間の間隔を小さくすることによって、２つのレンズｅ、ｆ間の間隔を小さくすることが出来る。しかしながら、図８及び図９に示した構造では、２つのレンズ保持面ｋ、ｌ間の間隔を小さくすることには限界がある。すなわち、レンズ保持枠ａは単にレンズを保持する機能を果たすだけでなく、レンズを移動させる場合の案内機構を構成する部分等を備え、複雑な形状をしている。そのため、レンズ保持枠ａは樹脂成形品として形成されるものであり、成形上の種々の問題、例えば、成形後のヒケ、歪み等のために、レンズ保持面ｋ、ｌ間の間隔を、例えば、１０μｍ単位の精度で形成することは困難である。そのために、上記した従来のレンズ保持構造では、、複合レンズを含む２つのレンズの間の間隔を十分に小さくすることが出来ず、レンズの小型化には不十分であった。
【００１５】
そこで、本発明は、ガラス部分に樹脂層が固着された複合レンズと該複合レンズに間隔をおいて配置される別のレンズとの間の間隔を必要最小限とすることを課題とする。
【課題を解決するための手段】
【００１６】
本発明複合レンズは、上記した課題を解決するために、ガラス部分の凹面を為す光学機能面に樹脂層を固着して成る複合レンズであって、上記ガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されるものである。
【００１７】
従って、本発明レンズにあっては、凸縁の光軸方向に対する突出端が光軸方向について樹脂層のはみ出し部分より外側に位置する。
【００１８】
本発明レンズ保持構造は、上記した課題を解決するために、複合レンズのガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されて成り、上記別のレンズの光学有効部の外周部に突設された保持縁に上記複合レンズの上記突出端が当接されるものである。
【００１９】
本発明レンズユニットは、上記した課題を解決するために、複数のレンズが所定の位置的関係をもってレンズ鏡筒内に配列され、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されて成り、上記別のレンズの光学有効部の外周部に突設された保持縁に上記複合レンズの上記突出端が当接されるものである。
【００２０】
本発明撮像装置は、上記した課題を解決するために、レンズユニットと、上記レンズユニットによって形成された光学像を電気信号に変換する撮像手段を備え、上記レンズユニットは、複数のレンズが所定の位置的関係をもってレンズ鏡筒内に配列されて成り、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されて成り、上記別のレンズの光学有効部の外周部に突設された保持縁に上記複合レンズの上記突出端が当接されるものである。
【００２１】
従って、本発明レンズ保持構造、レンズユニット及び撮像装置にあっては、複合レンズの凸縁と別のレンズの保持縁とが当接して出来た空間内に樹脂層のはみ出し部分が位置する。
【００２２】
別の本発明レンズ保持構造は、上記した課題を解決するために、複合レンズのガラス部分の光学有効部の外周部に保持縁が突設され、ガラス部分の光学機能面に固着された樹脂層はその外周部に上記保持縁上に生じたはみ出し部分を有し、上記別のレンズの光学有効部の外周部に突設されて上記複合レンズの保持縁と当接される保持縁が形成され、上記別のレンズの保持縁に上記樹脂層のはみ出し部分を収容する収容部が形成されたものである。
【００２３】
別の本発明レンズユニットは、上記した課題を解決するために、複数のレンズが所定の位置的関係をもってレンズ鏡筒内に配列されて成るり、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記別のレンズの光学有効部の外周部に突設されて上記複合レンズの保持縁と当接される保持縁が形成され、上記別のレンズの保持縁に上記樹脂層のはみ出し部分を収容する収容部が形成されたものである。
【００２４】
別の本発明撮像装置は、上記した課題を解決するために、レンズユニットと、上記レンズユニットによって形成された光学像を電気信号に変換する撮像手段を備え、上記レンズユニットは、複数のレンズが所定の位置的関係をもってレンズ鏡筒内に配列されて成り、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記別のレンズの光学有効部の外周部に突設されて上記複合レンズの保持縁と当接される保持縁が形成され、上記別のレンズの保持縁に上記樹脂層のはみ出し部分を収容する収容部が形成されたものである。
【００２５】
従って、別の本発明レンズ保持構造、レンズユニット及び撮像装置にあっては、複合レンズの樹脂層に出来たはみ出し部分は別のレンズの収容部に収容される。
【発明の効果】
【００２６】
本発明複合レンズは、ガラス部分の凹面を為す光学機能面に樹脂層を固着して成る複合レンズであって、上記ガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されることを特徴とする。
【００２７】
従って、本発明複合レンズにあっては、凸縁の突出端に別のレンズの平面部分を当接させた状態で、樹脂層のはみ出し部分は凸縁の突出端より保持縁側に位置するため、別のレンズの平面部分が樹脂層のはみ出し部分に接触してしまうことがない。そのため、複合レンズと別のレンズを直接接触させることによって複合レンズと別とレンズとを近接させても、樹脂層に応力が加わって樹脂層の光学有効面の面精度が損なわれることがない。
【００２８】
また、本発明複合レンズにあっては、平坦な載置面に凸縁の突出端を接触させる状態で載置すれば、ガラス部分の樹脂層が固着された面と反対側の光学有効面や樹脂層に何も接触させない状態で、当該複合レンズを載置することが出来るので、例えば、複合レンズを鏡筒やレンズ保持枠への組み込み前に載置しておくトレーの形状が単純な形状のもので済み、また、ハンドリングも容易であり、そのために、所要備品の単純化やタクトタイムの短縮等によって複合レンズを使用した装置の製造コストを減少させることが出来る。
【００２９】
本発明レンズ保持構造は、ガラス部分の光学機能面に樹脂層を固着して成る複合レンズの上記樹脂層を有する側に所定の間隔をおいて別のレンズを保持するレンズ保持構造であって、上記複合レンズのガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されて成り、上記別のレンズの光学有効部の外周部に突設された保持縁に上記複合レンズの上記突出端が当接されることを特徴とする。
【００３０】
本発明レンズユニットは、複数のレンズが所定の位置的関係をもってレンズ鏡筒内に配列されて成るレンズユニットであって、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されて成り、上記別のレンズの光学有効部の外周部に突設された保持縁に上記複合レンズの上記突出端が当接されることを特徴とする。
【００３１】
本発明撮像装置は、レンズユニットと、上記レンズユニットによって形成された光学像を電気信号に変換する撮像手段を備えた撮像装置であって、上記レンズユニットは、複数のレンズが所定の位置的関係をもってレンズ鏡筒内に配列されて成り、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記保持縁には上記はみ出し部分から外周側に離間した位置に凸縁が形成され、上記凸縁の光軸方向に対する突出端は、光軸方向について上記はみ出し部分より外側に位置するように形成されて成り、上記別のレンズの光学有効部の外周部に突設された保持縁に上記複合レンズの上記突出端が当接されることを特徴とする。
【００３２】
従って、本発明レンズ保持構造にあっては、複合レンズの凸縁と別のレンズの保持縁とが当接して出来た空間内に樹脂層のはみ出し部分が位置する。そのため、別のレンズを樹脂層のはみ出し部分に接触しない必要最小限の位置まで複合レンズに近付けることが出来る。これによって、レンズ全長の短縮を図ることが出来る。また、複合レンズと別のレンズとの間の間隔に関し互いを近接させる方向において選択の範囲が広がることによって光学設計上の自由度が向上する。さらに、本発明レンズユニット及び撮像装置にあっては、上記した本発明レンズ保持構造を使用することにより、光学性能を損なうこと無しに、小型に構成することが出来る。
【００３３】
請求項２、請求項４、請求項８及び請求項１１に記載した発明にあっては、上記凸縁の内径内に上記樹脂層の光学有効面の最外周部が位置しているので、２つのレンズの間隔をさらに近付けることが出来る。
【００３４】
請求項５、請求項６、請求項９及び請求項１２に記載した発明にあっては、上記凸縁の内径内に上記別のレンズの樹脂層に対向した光学有効面の最外周部が位置されるので、２つのレンズの間隔をさらに近付けることが出来る。
【００３５】
別の本発明レンズ保持構造は、ガラス部分の光学機能面に樹脂層を固着して成る複合レンズの上記樹脂層を有する側に所定の間隔をおいて別のレンズを保持するレンズ保持構造であって、上記複合レンズのガラス部分の光学有効部の外周部に保持縁が突設され、上記樹脂層はその外周部に上記保持縁上に生じたはみ出し部分を有し、上記別のレンズの光学有効部の外周部に突設されて上記複合レンズの保持縁と当接される保持縁が形成され、上記別のレンズの保持縁に上記樹脂層のはみ出し部分を収容する収容部が形成されたことを特徴とする。
【００３６】
別の本発明レンズユニットは、複数のレンズが所定の位置的関係をもってレンズ鏡筒内に配列されて成るレンズユニットであって、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記別のレンズの光学有効部の外周部に突設されて上記複合レンズの保持縁と当接される保持縁が形成され、上記別のレンズの保持縁に上記樹脂層のはみ出し部分を収容する収容部が形成されたことを特徴とする。
【００３７】
別の本発明撮像装置は、レンズユニットと、上記レンズユニットによって形成された光学像を電気信号に変換する撮像手段を備えた撮像装置であって、上記レンズユニットは、複数のレンズが所定の位置的関係をもってレンズ鏡筒内に配列されて成り、少なくとも２枚のレンズが固定的間隔をおいて配置され、上記２枚のレンズの一方のレンズはガラス部分の光学機能面に樹脂層を固着して成る複合レンズであって、上記複合レンズのガラス部分の光学有効部の外周部に保持縁が突設され、上記樹脂層はその外周部に上記保持縁上に生じたはみ出し部分を有し、上記別のレンズの光学有効部の外周部に突設されて上記複合レンズの保持縁と当接される保持縁が形成され、上記別のレンズの保持縁に上記樹脂層のはみ出し部分を収容する収容部が形成されたことを特徴とする。
【００３８】
従って、別の本発明レンズ保持構造にあっては、複合レンズの樹脂層に出来たはみ出し部分は別のレンズの収容部に収容される。そのため、別のレンズを樹脂層のはみ出し部分に接触しない必要最小限の位置まで複合レンズに近付けることが出来る。これによって、レンズ全長の短縮を図ることが出来る。また、複合レンズと別のレンズとの間の間隔に関し互いを近接させる方向において選択の範囲が広がることによって光学設計上の自由度が向上する。さらに、別の本発明レンズユニット及び撮像装置にあっては、上記した別の本発明レンズ保持構造を使用することにより、光学性能を損なうこと無しに、小型に構成することが出来る。
【００３９】
請求項１４、請求項請求項１８及び請求項２１に記載した発明にあっては、上記収容部内に上記樹脂層の光学有効面の最外周部が位置しているので、２つのレンズの間隔をさらに近付けることが出来る。
【００４０】
請求項１５、請求項１６、請求項１９及び請求項２２に記載した発明にあっては、上記収容部内に上記別のレンズの樹脂層に対向した光学有効面の最外周部が位置されるので、２つのレンズの間隔をさらに近付けることが出来る。
【発明を実施するための最良の形態】
【００４１】
以下に、本発明複合レンズ、レンズ保持構造、レンズユニット及び撮像装置を実施するための最良の形態について添付図面を参照して説明する。
【００４２】
図１にレンズユニットの実施の形態１を示す。レンズユニット１は複数のレンズが所定の位置的関係をもってレンズ鏡筒２内に配列されて成る。なお、ここで「所定の位置的関係」とは固定的な位置関係のみならず、可動的位置関係を含むものとして使用される。レンズ鏡筒２はほぼ筒状をした中間部分２ａと該中間部分２ａの前端に固定された前玉保持枠２ｂと上記中間部分２ａの後端に固定された撮像素子保持部２ｃとを備える。
【００４３】
上記中間部分２ａにはレンズ保持板２ｅが形成されており、該レンズ保持板２ｅによって中間部分２ａの内部が前後にほぼ２等分されている。
【００４４】
上記前玉保持枠２ｂと撮像素子保持部２ｃとの間には２本のガイド軸２ｆ、２ｇが架設されている。そして、これら２本のガイド軸２ｆ、２ｇに２つのレンズ保持枠３、４が前後方向に移動自在に支持されている。
【００４５】
上記前玉保持枠２ｂに第１レンズ群Ｇ１を構成するレンズＬ１１、Ｌ１２が固定されており、上記レンズ保持板２ｅに第３レンズ群Ｇ３を構成するレンズＬ３が保持されている。これら第１レンズ群Ｇ１及び第３レンズ群Ｇ３が固定群を構成する。上記レンズ保持枠３に第２レンズ群Ｇ２を構成するレンズＬ２１、Ｌ２２が保持され、上記レンズ保持枠４に第４レンズ群Ｇ４を構成するレンズＬ４が保持されている。そして、これら第２レンズ群Ｇ２及び第４レンズ群Ｇ４は可動群を構成し、例えば、第２レンズ群Ｇ２の光軸方向への移動によって変倍が行われ、第４レンズ群Ｇ４は第２レンズ群Ｇ２の移動に伴う像面位置の変動の補償と近距離合焦のために移動する。
【００４６】
レンズ鏡筒２の中間部分２ａにはレンズ駆動機構５、６が固定されており、これらレンズ駆動機構５、６はそれぞれ、ステッピングモータ５ａ、６ａと該ステッピングモータ５ａ、６ａによって回転されるリードスクリュー５ｂ、６ｂを備える。そして、レンズ保持枠３に設けられたナット部３ａが上記リードスクリュー５ｂと螺合され、また、レンズ保持枠４に設けられたナット部４ａが上記リードスクリュー６ｂと螺合されている。従って、レンズ駆動機構５、６のステッピングモータ５ａ、６ａが駆動されてリードスクリュー５ｂ、６ｂが回転すると、該回転によって、ナット部３ａ、４ａが光軸方向に送られるので、レンズ保持枠３、４がガイド軸２ｆ、２ｇに案内されて光軸方向に移動される。
【００４７】
アイリス機構７が中間部分２ａに設けられる。アイリス機構７の基板７ａが光路を横切るように第３レンズ群Ｇ３の後ろに配置され、露出窓７ｂが光軸上に配置される。基板７ａの中間部分２ａの外側に位置した箇所にメータ７ｃが固定されており、該メータ７ｃによって図示しないアイリス羽根が駆動されて上記露出窓７ｂの開口の大きさが調整される。
【００４８】
撮像素子保持部２ｃの光軸上には受光窓２ｄが形成され、該受光窓２ｄの後側にＣＣＤ８が配置される。なお、９はＣＣＤ８の前側に配置されたローパスフィルタである。
【００４９】
次に、本発明レンズ保持構造について説明する。上記したレンズユニット１の第２レンズ群Ｇ２を構成するレンズＬ２１、Ｌ２２の保持に関して本発明レンズ保持構造が適用されている。本発明レンズ保持構造の詳細を図２乃至図４に示す。
【００５０】
この実施の形態において、互いに所定の間隔をおいて配置固定されるレンズは、複合レンズＬ２１と２枚のガラスレンズを接合して成る２枚接合レンズＬ２２とである。複合レンズＬ２１は像面側に凹面を向けたメニスカス形状のガラス部分１０の光学有効部１１の後面（像面側光学機能面）１１ａに樹脂層２０を固着してなるものである。上記ガラス部分１０の光学有効部１１の外周部にはフランジ状に突出した保持縁１２が形成されている。上記樹脂層２０は光学有効部２１を越えてガラス部分１０の保持縁１２の後面１２ａに達する延長部２２を有し、該延長部２２の最外周部にはみ出し部分２３が出来ている。また、上記保持縁１２の後面のうち樹脂層２０のはみ出し部分２３が位置している部分よりさらに外側には環状凸縁１３が後方、すなわち、像面側に向かって突設されている。そして、上記環状凸縁１３の突出端面、すなわち、後面１３ａは光軸ｘに対して垂直な当接面とされている。また、上記環状凸縁１３の保持縁１２の後面１２ａからの突出量は上記はみ出し部分２３の上記後面１２ａからの突出量より大きくされている。すなわち、上記環状凸縁１３の内径内１３ｂに樹脂層２０の光学有効面（光学有効部２１の像側の面）の最外周部２１ａ及びはみ出し部分２３が位置することになる。なお、ここで環状凸縁１３の内径内１３ｂとは、環状凸縁１３の内周面と保持縁１２の後面１２ａが位置する平面と環状凸縁１３の後面１３ａが位置する平面とで囲まれた空間内を意味する。
【００５１】
２枚接合レンズＬ２２はガラス製の両凹レンズ３０の像面側の面とガラス製の両凸レンズ４０の物体側の面とが接合されて成り、両凹レンズ３０の光学有効部３１の外周部にはフランジ状に突出した保持縁３２が形成されており、保持縁３２の前面は光学有効部３１寄りの部分を残して切り欠かれており、該切り欠かれた部分の前面３３が当接面とされ、該当接面３３は光軸ｘに垂直な面に形成されている。そして、保持縁３２の光学有効部３１寄りの部分３４は上記当接面３３より僅かに前方、すなわち、物体側に突出されており、該突出部３４の中心寄りの部分の前端に光学有効面、すなわち、光学有効部３１の物体側面の最外周部３１ａが位置している。従って、レンズＬ２２の物体側の光学有効面の最外周部３１ａは当接面３３より僅かに前側に位置することになる。また、上記突出部３４の外端は複合レンズＬ２１の樹脂層２０のはみ出し部分２３より内側に位置するようにされている。上記はみ出し部分２３の位置は樹脂層２０の成形時における材料樹脂の供給量によって異なるが、上記供給量のバラツキの最小量の時に形成されるはみ出し部分２３の位置よりさらに内側、すなわち、中心寄りに位置させてある。
【００５２】
上記２つのレンズＬ２１、Ｌ２２とは、複合レンズＬ２１の環状凸縁１３の当接面１３ａと２枚接合レンズ（別のレンズ）Ｌ２２の当接面３３とが当接した状態で、レンズ保持枠３に保持される。
【００５３】
レンズ保持枠３は、図１乃至図４に示すように、板状をした主部３ｂのほぼ中央部にレンズ保持筒５０が一体に形成されており、また、主部３ｂの一端部に被案内筒３ｃが形成され、該被案内筒３ｃとレンズ保持筒５０を挟んでほぼ反対側の位置に係合切欠３ｄが形成されている。また、被案内筒３ｃの近傍にナット部３ａが形成されている。そして、被案内筒３ｃにレンズ鏡筒２のガイド軸２ｇが摺動自在に挿通され、また、もう一つのガイド軸２ｆに係合切欠３ｄが摺動自在に係合する。これによって、レンズ保持枠３は２つのガイド軸２ｆ、２ｇに案内されて光軸ｘ方向に移動しうるようにレンズ鏡筒２に支持される。さらに、ナット部３ａにレンズ駆動機構５のリードスクリュー５ｂが螺合され、従って、ステッピングモータ５ａが駆動すると、それによって回転するリードスクリュー５ｂによってナット部３ａが送られるので、レンズ保持枠３は光軸方向に移動されることになる。
【００５４】
レンズ保持筒５０の後端に内方へ突出した内フランジ５１が形成されており、該内フランジ５１の前面５１ａがレンズ支持面とされている。なお、このうちフランジ５１の内径はレンズＬ２２の両凸レンズ４０の外径より大きく形成されている。
【００５５】
レンズ保持筒５０の内フランジ５１から前側の部分の内側は前後に２つの部分に区分されている。すなわち、内フランジ５１から前方へ向かって後側レンズ室５２と前側レンズ室５３とが順番に形成され、前側レンズ室５３の前端からはカシメ縁５４が前方へ向けて突設されている。そして、後側レンズ室５２の内径は２枚接合レンズＬ２２の外径、すなわち、両凹レンズ３０の保持縁３２の外径とほぼ等しく形成され、また、前側レンズ室５３の内径は複合レンズＬ２１の外径、すなわち、ガラス部分１０の保持縁１２の外径とほぼ等しく形成されている。そして、複合レンズＬ２１の外径は２枚接合レンズＬ２２の外径よりやや大きく形成されているので、後側レンズ室５２と前側レンズ室５３との境界部には段差部５５が形成される。
【００５６】
次に、上記したレンズ保持枠３への２つのレンズＬ２１、Ｌ２２の保持について説明する。
【００５７】
まず、レンズＬ２２を前側からレンズ保持筒５０内に挿入し、さらに、後側レンズ室５２内に挿入する。これによって、レンズＬ２２はその保持縁３２の後面が内フランジ５１のレンズ支持面５１ａに載置されて、光軸ｘ方向での位置決めがされる。なお、光軸ｘに垂直な方向での位置決めは、保持縁３２の外径と後側レンズ室５２の内径とがほぼ等しくされているので、保持縁３２の外周面が後側レンズ室５２の内周面と接触することによって為される。
【００５８】
次いで、複合レンズＬ２１がレンズ保持筒５０に前側から挿入され、前側レンズ室５３内に挿入される。そして、複合レンズＬ２１の環状凸縁１３の後面である当接面１３ａが別のレンズである２枚接合レンズＬ２２の保持縁３２の前面である当接面３３に当接される。
【００５９】
最後にカシメ縁５４を複合レンズＬ２１の保持縁１２の前面にカシメ付けて、レンズＬ２１及びＬ２２のレンズ保持筒５０からの脱落を阻止して、レンズ保持枠３への２つのレンズＬ２１、Ｌ２２の保持が完了する。
【００６０】
なお、上記レンズ保持枠３における２つのレンズ室５２、５３の同軸度は、上記した従来のレンズ保持枠ａにおける２つのレンズ室ｂ、ｃの同軸度より精確である。すなわち、従来のレンズ室ｂ、ｃは凸部ｄを挟んで独立しているため、これらレンズ室ｂ、ｃを成形するための金型部分はキャビ側（固定側）とコア側（可動側）に分かれている。そのため、２つのレンズ室ｂ、ｃを同軸に形成することは困難である。それに対し、上記レンズ保持枠３のレンズ室５２、５３の成形のための金型部分は一体であり、同じ方向から切削することが出来るため、金型材料の固定し直しや切削軸の変更を行うこと無しに、切削工具（刃）の付け替えだけで連続した作業として行うことが出来る。そのため、レンズ室５２、５３は精確に同軸に形成される。そのため、２つのレンズ室５２、５３の内周面を光軸に垂直な方向での基準にすることによって、２つのレンズＬ２１、Ｌ２２を同軸に配置することが出来、これによって、光学性能が向上する。
【００６１】
上記したレンズ保持構造にあっては、複合レンズＬ２１と別のレンズＬ２２とは複合レンズＬ２１に形成された環状凸縁１３によって複合レンズＬ２１に形成された樹脂層２０、特に、はみ出し部分２３と別のレンズＬ２２の複合レンズＬ２１に対向した側の面との間の間隔を規定された状態でレンズ保持枠３に保持される。そして、樹脂層２０のうち保持縁１２の後面１２ａに位置している延長部２２の厚みＡ、レンズＬ２２の保持縁３２の突出部３４の当接面３３からの突出量Ｂ及び複合レンズＬ２１の環状凸縁１３の保持縁１２の後面１２ａからの突出量Ｃの関係が
Ｃ＞（Ａ＋Ｂ）
となっていて、また、樹脂層２０のはみ出し部分２３の保持縁１２の後面１２ａからの突出量Ｄと複合レンズＬ２１の環状凸縁１３の上記突出量Ｃとの関係が
Ｃ＞Ｄ
となっているため、レンズＬ２２の何れの部分も樹脂層２０には触れることが無く、従って、樹脂層２０の面精度が損なわれることがない。
【００６２】
さらに、上記した実施の形態にあっては、樹脂層２０の光学有効面（光学有効部２１の後面）の最外周部２１ａ及び別のレンズＬ２２の樹脂層２０に対向した光学有効面（光学有効部３１の樹脂層２０に対向した面）の最外周部３１ａを共に環状凸縁１３の内径内、すなわち、環状凸縁１３の内周面と保持縁１２の後面１２ａが位置する平面と環状凸縁１３の後面１３ａが位置する平面とで囲まれた空間１３ｂ内に位置させることができるので、複合レンズＬ２１と別のレンズＬ２２とを別のレンズＬ２２が樹脂層２０に触れることがない必要最小限の範囲まで近接させることが出来る。なお、樹脂層２０及び別のレンズＬ２２の光学有効面の最外周部２１ａ、３１ａを環状凸縁１３の内径内１３ｂに位置させることは本発明の必須要件ではないが、少なくとも、いずれかの光学有効面の最外周部２１ａ又は３１ａを環状凸縁１３の内径内１３ｂに位置させることは、２つのレンズＬ２１、Ｌ２２を近接させるについて有効である。
【００６３】
そして、上記したように、２つのレンズＬ２１、Ｌ２２を極めて近接して配置することが出来るため、レンズ系の全長を短くすることが出来る。また、複合レンズＬ２１と別のレンズＬ２２との間隔に関して選択の範囲が互いを近接させる方向において広がるので、光学設計上の自由度が向上する。
【００６４】
なお、上記した実施の形態において、凸縁１３は必ずしも環状である必要はなく、樹脂層２０の外周部を外側から囲むように位置していればよいものである。また、レンズＬ２１、Ｌ２２の外形状は正確な円状である必要はなく、楕円、長方形などであっても良い。
【００６５】
図５及び図６に別の本発明レンズ保持構造の実施の形態を示す。この別の本発明レンズ保持構造も上記したレンズユニット１の第２レンズ群を構成する２つのレンズＬ２１、Ｌ２２の保持に適用することが出来る。
【００６６】
この別の発明において、複合レンズＬ２１は像面側に凹面を向けたメニスカス形状のガラス部分６０の光学有効部６１の後面（像面側光学機能面）６１ａに樹脂層７０を固着してなるものである。上記ガラス部分６０の光学有効部６１の外周部にはフランジ状に突出した保持縁６２が形成され、該保持縁６２の後面６２ａは光軸ｘに垂直な面に形成されている。上記樹脂層７０は光学有効部７１を越えてガラス部分６０の保持縁６２の後面６２ａに達する延長部７２を有し、該延長部７２の最外周部にはみ出し部分７３が出来ている。
【００６７】
２枚接合レンズＬ２２はガラス製の両凹レンズ８０の像面側の面とガラス製の両凸レンズ９０の物体側の面とが接合されて成り、両凹レンズ８０の光学有効部８１の外周部にはフランジ状に突出した保持縁８２が形成されており、保持縁８２の前面の外周部には前方へ突出し保持縁８２の一部である環状凸部８３が形成されており、該環状凸部８３の前面８３ａは光軸ｘに対して垂直な当接面とされる。そして、該環状凸部８３の保持縁８２の前面からの突出量Ｅは上記はみ出し部７３の保持縁６２後面６２ａからの突出量Ｆより大きくされている。そして、上記環状凸部８３の内側の部分、すなわち、環状凸部８３の内周面と上記当接面８３ａが位置する平面と保持縁８２の前面８２ａが位置する平面とによって囲まれた空間８３ｂがはみ出し部７３を収容する収容部とされる。
【００６８】
上記保持縁８２の前面８２ａの内周部には前方へ向かって突出した突出部８４が形成されており、該突出部８４の中心寄りの部分の前端に光学有効面、すなわち、光学有効部８１の物体側面の最外周部８１ａが位置している。そして、該突出部８４の保持縁８２の前面８２ａからの突出量Ｇは上記環状凸部８３の突出量Ｅより小さくされている。従って、レンズＬ２２の物体側の光学有効面の最外周部８１ａは保持縁８２の前面８２ａより前側で、且つ、環状凸部８３の当接面８３ａより後側に位置することになる。また、上記突出部８４の外端は複合レンズＬ２１の樹脂層７０のはみ出し部分７３より内側に位置するようにされている。上記はみ出し部分７３の位置は樹脂層７０の成形時における材料樹脂の供給量によって異なるが、上記供給量のバラツキの最小量の時に形成されるはみ出し部分７３の位置よりさらに内側、すなわち、中心寄りに位置させてある。
【００６９】
上記２つのレンズＬ２１、Ｌ２２は複合レンズＬ２１の保持縁６２の後面６２ａに別のレンズＬ２２の環状凸部８３の当接面８３ａが当接した状態でレンズ保持枠３に保持される。なお、レンズ保持枠３の構造は図２乃至図４に示したレンズ保持枠３と同様のものである。
【００７０】
まず、レンズＬ２２を前側からレンズ保持筒５０内に挿入し、さらに、後側レンズ室５２内に挿入する。これによって、レンズＬ２２はその保持縁８２の後面が内フランジ５１のレンズ支持面５１ａに載置されて、光軸ｘ方向での位置決めがされる。なお、光軸ｘに垂直な方向での位置決めは、保持縁８２の外径と後側レンズ室５２の内径とがほぼ等しくされているので、保持縁８２の外周面が後側レンズ室５２の内周面と接触することによって為される。
【００７１】
次いで、複合レンズＬ２１がレンズ保持筒５０に前側から挿入され、前側レンズ室５３内に挿入される。そして、複合レンズＬ２１の保持縁６２の後面６２ａのうち樹脂層７０のはみ出し部分７３から外側に位置している部分がレンズＬ２２の環状凸部８３の前面である当接面８３ａに当接される。
【００７２】
最後にカシメ縁５４を複合レンズＬ２１の保持縁６２の前面にカシメ付けて、レンズＬ２１及びＬ２２のレンズ保持筒５０からの脱落を阻止して、レンズ保持枠３への２つのレンズＬ２１、Ｌ２２の保持が完了する。
【００７３】
上記したレンズ保持構造にあっては、複合レンズＬ２１と別のレンズＬ２２とは環状凸部８３によって互いの間隔を規定された状態でレンズ保持枠３に保持される。そして、樹脂層７０のうち保持縁６２の後面６２ａに位置している延長部７２の厚みＨ、レンズＬ２２の保持縁８２の突出部８４の後面８２ａからの突出量Ｇ及び環状凸部８３の突出量Ｅの関係が
Ｅ＞（Ｇ＋Ｈ）
となっていて、また、樹脂層７０のはみ出し部分７３の保持縁６２の後面６２ａからの突出量Ｆと環状凸部８３の突出量Ｅとの関係が
Ｅ＞Ｆ
となっているため、レンズＬ２２の何れの部分も樹脂層７０には触れることが無く、従って、樹脂層７０の面精度が損なわれることがない。
【００７４】
さらに、上記した実施の形態にあっては、樹脂層７０の光学有効面（光学有効部７１の後面）の最外周部７１ａ及び別のレンズＬ２２の樹脂層７０に対向した光学有効面（光学有効部８１の樹脂層７０に対向した面）の最外周部８１ａを共に収容部８３ｂ内、すなわち、環状凸部８３の内周面と上記当接面８３ａが位置する平面と保持縁８２の前面８２ａが位置する平面とによって囲まれた空間８３ｂ内に位置させることができるので、複合レンズＬ２１と別のレンズＬ２２とを別のレンズＬ２２が樹脂層７０に触れることがない必要最小限の範囲まで近接させることが出来る。なお、樹脂層７０及び別のレンズＬ２２の光学有効面の最外周部７１ａ、８１ａを収容部８３ｂ内に位置させることは別の本発明の必須要件ではないが、少なくとも、いずれかの光学有効面の最外周部７１ａ又は８１ａを収容部８３ｂ内に位置させることは、２つのレンズＬ２１、Ｌ２２を近接させるについて有効である。
【００７５】
そして、上記したように、２つのレンズＬ２１、Ｌ２２を極めて近接して配置することが出来るため、レンズ系の全長を短くすることが出来る。また、複合レンズＬ２１と別のレンズＬ２２との間隔に関して互いを近接させる方向において選択の範囲が広がるので、光学設計上の自由度が向上する。
【００７６】
この実施の形態にあっても、レンズＬ２１、Ｌ２２の外形状は正確な円状である必要はなく、楕円、長方形などであっても良い。
【００７７】
図７に本発明撮像装置の実施の形態を示す。
【００７８】
この実施の形態にかかる撮像装置１００は、図７に示すように、大きく分けると、カメラ部１１０と、カメラＤＳＰ（Digital Signal Processor）１２０と、ＳＤＲＡＭ（Synchronous Dynamic Random Access Memory）１３０と、媒体インターフェース（以下、媒体Ｉ／Ｆという。）１４０と、制御部１５０と、操作部１６０と、ＬＣＤ（Liquid Crystal Display）１７０と、外部インターフェース（以下、外部Ｉ／Ｆという。）１８０を備えるとともに、記録媒体１９０が着脱可能とされている。
【００７９】
記録媒体１９０は、半導体メモリーを用いたいわゆるメモリーカード、記録可能なＤＶＤ（Digital Versatile Disk）や記録可能なＣＤ（Compact Disc）等の光記録媒体、磁気ディスクなどの種々のものを用いることができるが、この実施の形態においては、記録媒体１９０として、例えば、メモリーカードを用いるものとして説明する。
【００８０】
そして、カメラ部１１０は、光学ブロック１１１、ＣＣＤ（Charge Coupled Device）８、前処理回路１１２、光学ブロック用ドライバ１１３、ＣＣＤ用ドライバ１１４、タイミング生成回路１１５等を備えたものである。ここで、光学ブロック１１１は、上記レンズユニット１を含むものである。
【００８１】
また、制御部１５０は、ＣＰＵ（Central Processing Unit）１５１、ＲＡＭ（Random Access Memory）１５２、フラッシュＲＯＭ（Read Only Memory）１５３、時計回路１５４等が、システムバス１５５を通じて接続されて構成されたマイクロコンピュータであり、この実施の形態の撮像装置１００の各部を制御することができるものである。
【００８２】
ここで、ＲＡＭ１５２は、処理の途中結果を一時記憶するなど主に作業領域として用いられるものである。また、フラッシュＲＯＭ１５３は、ＣＰＵ１５１において実行する種々のプログラムや、処理に必要になるデータなどが記憶されたものである。また、時計回路６４は、現在年月日、現在曜日、現在時刻を提供することができるとともに、撮影日時などを提供するなどのことができるものである。
【００８３】
そして、画像の撮影時においては、光学ブロック用ドライバ１１３は、制御部１５０からの制御に応じて、光学ブロック１１１を動作させるようにする駆動信号を形成し、これを光学ブロック１１１に供給して、光学ブロック１１１を動作させるようにする。光学ブロック１１１は、光学ブロック用ドライバ１１３からの駆動信号に応じて、ズーミング機構（レンズ駆動機構５等）、フォーカス機構（レンズ駆動機構６等）、シャッター機構、アイリス機構７が制御され、被写体の画像を取り込んで、これをＣＣＤ８に対して提供する。
【００８４】
ＣＣＤ８は、光学ブロック１１１からの画像を光電変換して出力するものであり、ＣＣＤ用ドライバ１１４からの駆動信号に応じて動作し、光学ブロック１１１からの被写体の画像を取り込むとともに、制御部１５０によって制御されるタイミング生成回路１１５からのタイミング信号に基づいて、取り込んだ被写体の画像（画像情報）を電気信号として前処理回路１１２に供給する。
【００８５】
なお、上述したように、タイミング生成回路１１５は、制御部１５０からの制御に応じて、所定のタイミングを提供するタイミング信号を形成するものである。また、ＣＣＤ用ドライバ１１４は、タイミング生成回路１１５からのタイミング信号に基づいて、ＣＣＤ８に供給する駆動信号を形成するものである。
【００８６】
前処理回路１１２は、これに供給された電気信号の画像情報に対して、ＣＤＳ（Correlated Double Sampling）処理を行って、Ｓ／Ｎ比を良好に保つようにするとともに、ＡＧＣ（Automatic Gain Control）処理を行って、利得を制御し、そして、Ａ／Ｄ（Analog/Digital）変換を行って、デジタル信号とされた画像データを形成する。
【００８７】
前処理回路１１２からのデジタル信号とされた画像データは、カメラＤＳＰ１２０に供給される。カメラＤＳＰ１２０は、これに供給された画像データに対して、ＡＦ（Auto Focus）、ＡＥ（Auto Exposure）、ＡＷＢ（Auto White Balance）などのカメラ信号処理を施す。このようにして種々の調整がされた画像データは、所定の圧縮方式でデータ圧縮され、システムバス１５５、媒体Ｉ／Ｆ１４０を通じて、この実施の形態の撮像装置１００に装填された記録媒体１９０に供給され、後述するように記録媒体１９０にファイルとして記録される。
【００８８】
また、記録媒体１９０に記録された画像データは、タッチパネルやコントロールキーなどからなる操作部１６０を通じて受け付けたユーザーからの操作入力に応じて、目的とする画像データが媒体Ｉ／Ｆ１４０を通じて記録媒体１９０から読み出され、これがカメラＤＳＰ１２０に供給される。
【００８９】
カメラＤＳＰ１２０は、記録媒体１９０から読み出され、媒体Ｉ／Ｆ１４０を通じて供給されたデータ圧縮されている画像データについて、そのデータ圧縮の解凍処理（伸張処理）を行い、解凍後の画像データをシステムバス１５５を通じて、ＬＣＤコントローラ１７１に供給する。ＬＣＤコントローラ１７１は、これに供給された画像データからＬＣＤ１７０に供給する画像信号を形成し、これをＬＣＤ１７０に供給する。これにより、記録媒体１９０に記録されている画像データに応じた画像が、ＬＣＤ１７０の表示画面に表示される。
【００９０】
なお、画像の表示の形態は、ＲＯＭに記録された表示処理プログラムに従う。つまり、この表示処理プログラムは後述するファイルシステムがどのような仕組みで記録されているのか、どのように画像を再生するのかというプログラムである。
【００９１】
また、この実施の形態にかかる撮像装置１００には、外部Ｉ／Ｆ１８０が設けられている。この外部Ｉ／Ｆ１８０を通じて、例えば、外部のパーソナルコンピュータと接続して、パーソナルコンピュータから画像データの供給を受けて、これを自機に装填された記録媒体１９０に記録したり、また、自機に装填された記録媒体１９０に記録されている画像データを外部のパーソナルコンピュータ等に供給したりすることもできるものである。
【００９２】
また、外部Ｉ／Ｆ１８０に通信モジュールを接続することにより、例えば、インターネットなどのネットワークに接続して、ネットワークを通じて種々の画像データやその他の情報を取得し、自機に装填された記録媒体１９０に記録したり、あるいは、自機に装填された記録媒体１９０に記録されているデータを、ネットワークを通じて目的とする相手先に送信したりすることもできるものである。
【００９３】
また、外部のパーソナルコンピュータやネットワークを通じて取得し、記録媒体に記録した画像データなどの情報についても、上述したように、この実施の形態の撮像装置１００において読み出して再生し、ＬＣＤ１７０に表示してユーザーが利用することももちろんできるようにされている。
【００９４】
なお、外部Ｉ／Ｆ１８０は、ＩＥＥＥ（Institute of Electrical and Electronics Engineers）１３９４、ＵＳＢ（Universal Serial Bus）などの有線用インターフェースとして設けることも可能であるし、光や電波による無線インターフェースとして設けることも可能である。すなわち、外部Ｉ／Ｆ１８０は、有線、無線のいずれのインターフェースであってもよい。
【００９５】
このように、この実施の形態にかかる撮像装置１００は、被写体の画像を撮影して、当該撮像装置１００に装填された記録媒体１９０に記録することができるとともに、記録媒体１９０に記録された画像データを読み出して、これを再生し、利用することができるものである。また、外部のパーソナルコンピュータやネットワークを通じて、画像データの提供を受けて、これを自機に装填された記録媒体１９０に記録したり、また、読み出して再生したりすることもできるものである。
【００９６】
なお、上記撮像装置１００において、撮像手段としてＣＣＤを示したが、本発明撮像装置における撮像手段がＣＣＤに限られることを意味するものではない。ＣＣＤの他に、ＣＭＯＳ(Complementary Metal-Oxide Semiconductor)やその他の撮像素子を使用することもできる。
【００９７】
また、本発明撮像装置の具体的な適用形態としては、デジタルビデオカメラ、デジタルスチルカメラ等のカメラ形態の他、ＰＤＡ（Personal Digital Assistant）等の情報処理機器のカメラ部等として広く適用することが出来る。
【００９８】
さらに、上記した実施の形態における各部の具体的形状や構造は、何れも本発明を実施するに際して行う具体化のほんの一例を示したものに過ぎず、これらによって本発明の技術的範囲が限定的に解釈されることがあってはならないものである。
【産業上の利用可能性】
【００９９】
撮像レンズ系、投影レンズ系等、複合レンズを含む複数枚のレンズを組み合わせて使用する場合に、複合レンズと所定の間隔をおいて配置される別のレンズとの間隔を必要最小限に設定することが出来る。
【図面の簡単な説明】
【０１００】
【図１】本発明レンズユニットの実施の形態を示す縦断面図である。
【図２】図３及び図４と共に本発明レンズ保持構造の実施の形態を示すものであり、本図は分解断面図である。
【図３】縦断面図である。
【図４】レンズ保持枠の斜視図である。
【図５】図６と共に別の本発明レンズ保持構造の実施の形態を示すものであり、本図は分解断面図である。
【図６】縦断面図である。
【図７】本発明撮像装置の実施の形態を示すブロック図である。
【図８】図９と共に従来のレンズ保持構造の一例を示すものであり、本図は分解断面図である。
【図９】縦断面図である。
【符号の説明】
【０１０１】
１…レンズユニット、２…レンズ鏡筒、８…ＣＣＤ（撮像手段）、Ｌ２１…複合レンズ、Ｌ２２…２枚接合レンズ（別のレンズ）、１０…ガラス部分、１１…光学有効部、１１ａ…光学機能面、１２…保持縁、１２ａ…後面、１３…環状凸縁（凸縁）、１３ａ…当接面（突出端）、１３ｂ…内径内、２０…樹脂層、２１ａ…光学有効面の最外周部、２３…はみ出し部分、３１ａ…光学有効面の最外周部、３２…保持縁、３３…当接面、６０…ガラス部分、６１…光学有効部、６１ａ…光学機能面、６２…保持縁、６２ａ…後面、７０…樹脂層、７１ａ…光学有効面の最外周部、７３…はみ出し部分、８１ａ…光学有効面の最外周部、８２…保持縁、８３ｂ…収容部
【図１】
2006195053.tif 000003
【図２】
2006195053.tif 000004
【図３】
2006195053.tif 000005
【図４】
2006195053.tif 000006
【図５】
2006195053.tif 000007
【図６】
2006195053.tif 000008
【図７】
2006195053.tif 000009
【図８】
2006195053.tif 000010
【図９】
2006195053.tif 000011